(57)【要約】【課題】二次電池の状態を判定する技術を提供する。【解決手段】この二次電池システム１０は、直列に接続された複数の二次電池５０と、複数の二次電池５０の電圧値を順次測定する電圧計を備えた二次電池システム１０である。この二次電池システム１０では、二次電池５０の状態を判定する際に、各二次電池５０の電圧値Ｖを測定して、その差分電圧値ΔＶを算出する。また、当該差分電圧値ΔＶを差分電圧値ΔＶの算出に用いた期間ΔＴで除して、判定値Ｈを算出し、当該判定値Ｈを用いて二次電池５０の状態を判定する。差分電圧値ΔＶは、二次電池５０の内部抵抗に比例することから、判定値Ｈを用いて二次電池５０の状態を判定することができる。【選択図】図２
2012189380.tif 000002
【特許請求の範囲】
【請求項１】
直列に接続された複数の二次電池と、前記複数の二次電池の電圧を順次測定する電圧測定部を備えた二次電池システムの状態判定方法であって、
前記複数の二次電池は第１の二次電池および第２の二次電池を含み、前記第１の二次電池に対して第１のタイミングで測定された第１の電圧値と前記第２の二次電池に対して第２のタイミングで測定された第２の電圧値との電圧差分値を前記第１のタイミングと前記第２のタイミングとの時間差で除した判定値を用いて前記複数の二次電池の状態を判定する二次電池システムの状態判定方法。
【請求項２】
前記判定値と予め定められた基準値とを比較して前記複数の二次電池の状態を判定する請求項１に記載の二次電池システムの状態判定方法。
【請求項３】
直列に接続された複数の二次電池と、前記複数の二次電池の電圧を順次測定する電圧測定部を備えた二次電池システムであって、
前記複数の二次電池は第１の二次電池および第２の二次電池を含み、前記第１の二次電池に対して第１のタイミングで測定された第１の電圧値と前記第２の二次電池に対して第２のタイミングで測定された第２の電圧値との電圧差分値を前記第１のタイミングと前記第２のタイミングとの時間差で除した判定値を用いて前記複数の二次電池の状態を判定する判定部を備える二次電池システム。
【発明の詳細な説明】
【技術分野】
【０００１】
本発明は、二次電池システムの劣化等の状態を判定する技術に関する。
【背景技術】
【０００２】
従来から、繰り返し使用可能な二次電池を含むシステムが知られている。二次電池は、充電と放電を繰り返すことで何度も使用することができ、充電不能な電池に比べて環境に優しく、電気自動車など現在その使用分野を広げている。
【０００３】
このようなシステムでは、使用回数が増えるに従って劣化により二次電池の内部抵抗が増加し、容量が低下する。二次電池の内部抵抗の増加や容量低下が起こると、最大電圧や最大電力など電池に求められている性能を実現することができず、例えば電圧低下による誤作動などが発生する虞がある。そのため、従来から、二次電池の劣化等の状態を判定する技術が知られている（例えば、引用文献１）。この技術では、充放電状態の二次電池の電圧及び二次電池から放電される電流を測定し、オームの法則を用いて内部抵抗を算出する。これによって、初期状態などの予め既知の状態からの内部抵抗の増加量を算出することができ、二次電池の劣化等の状態を検出することができるという。
【先行技術文献】
【特許文献】
【０００４】
【特許文献１】特開２００５−１９５６０４号公報
【発明の概要】
【発明が解決しようとする課題】
【０００５】
本発明者らは、二次電池の状態を判定する他の方法について評価を重ねたところ、充放電状態における電池電圧の変化量に基づいて二次電池の状態を判定する新規な方法を創作するに至った。
【０００６】
本発明は、二次電池の状態を判定する技術を提供することにある。
【課題を解決するための手段】
【０００７】
本発明は、直列に接続された複数の二次電池と、前記複数の二次電池の電圧を順次測定する電圧測定部を備えた二次電池システムの状態判定方法であって、前記複数の二次電池は第１の二次電池および第２の二次電池を含み、前記第１の二次電池に対して第１のタイミングで測定された第１の電圧値と前記第２の二次電池に対して第２のタイミングで測定された第２の電圧値との電圧差分値を前記第１のタイミングと前記第２のタイミングとの時間差で除した判定値を用いて前記複数の二次電池の状態を判定する。
【０００８】
この二次電池システムの状態判定方法では、複数の二次電池の電池電圧を順次測定する機能を利用し、電池電圧を順次測定した際の２つの二次電池の電池電圧の差を、それら二次電池の電池電圧を測定したタイミングの時間差で除した値を判定値として算出する。この状態判定方法によれば、判定値から二次電池の内部抵抗を評価することができ、これによって、二次電池の状態を容易に判定することができる。
【０００９】
上記の二次電池システムの状態判定方法は、前記判定値と予め定められた基準値とを比較して前記複数の二次電池の状態を判定する構成を含んでいても良い。この二次電池システムの状態判定方法によれば、前記判定値を二次電池システムに記憶された基準値と照合することで、基準値に対応して予め想定されている二次電池の状態に基づいて、二次電池の状態を判定することができる。
【００１０】
本発明は、上記の二次電池システムの状態判定方法を実行可能な二次電池システムにも具現化される。本発明の二次電池システムは、直列に接続された複数の二次電池と、前記複数の二次電池の電圧を順次測定する電圧測定部を備えた二次電池システムであり、前記複数の二次電池は第１の二次電池および第２の二次電池を含み、前記第１の二次電池に対して第１のタイミングで測定された第１の電圧値と前記第２の二次電池に対して第２のタイミングで測定された第２の電圧値との電圧差分値を前記第１のタイミングと前記第２のタイミングとの時間差で除した判定値を用いて前記複数の二次電池の状態を判定する判定部を備える。この状態判定方法によれば、上記の二次電池システムの状態判定方法を実行することができ、これによって、二次電池の状態を判定することができる。
【発明の効果】
【００１１】
本発明によれば、二次電池の状態を判定することができる。
【図面の簡単な説明】
【００１２】
【図１】本実施形態の二次電池システムのブロック図
【図２】本実施形態の状態判定処理を示すフローチャート
【図３】電圧値Ｖ及び積算電流量ΣＩを示すグラフ
【図４】電圧値Ｖ及び積算電流量ΣＩを示すグラフ
【図５】本実施形態の劣化判定を説明するグラフ
【発明を実施するための形態】
【００１３】
＜実施形態＞
以下、本発明の実施形態について、図１ないし図５を用いて説明する。
１．二次電池システムの構成
図１は、本実施形態における二次電池システム１０の構成を示す図である。二次電池システム１０は、複数の二次電池５０から構成される電池群２６を含んでおり、二次電池５０の劣化等の状態を判定する機能を備えている。この二次電池システム１０は、負荷１４と接続されることで、放電状態における二次電池５０及び電池群２６の状態を判定することができ、充電機に接続されることで、充電状態における二次電池５０及び電池群２６の状態を判定することができる。本実施形態では、二次電池システム１０を負荷１４に接続した場合の例を示す。
【００１４】
図１に示すように、二次電池システム１０は、電流計２２、電圧計２４を備えた電池管理装置（以下「ＢＭＳ」という）２０、電池群２６、及び配線２８を含む。
電池群２６は、同一種の二次電池５０をＮ個（Ｎ：２以上の自然数）含んでおり、これらの二次電池５０が直列に接続されて構成されている。電池群２６は、配線２８及び出力端子１２を介して負荷１４に接続されており、電池群２６に蓄えられていた電力を負荷１４に供給する。配線２８には、電流計２２が接続されており、後述する中央処理装置（以下、ＣＰＵ）３０からの命令に応じて、電池群２６の各二次電池５０に流れる電流を測定する。
【００１５】
電圧計２４は、電池群２６の各二次電池５０の両極端子に接続されており、各二次電池５０の電圧を測定する。電圧計２４は、一時に１つの二次電池５０の電圧を測定するものである。そのため、電圧計２４は、ＣＰＵ３０からの命令に応じて、測定する二次電池５０を切り換え、各二次電池５０の電圧を順次測定する。直列に接続されたＮ個の二次電池５０の電池電圧を順次測定することを周期的に繰り返すことで二次電池５０の電池電圧を継続的に測定する。
【００１６】
ＢＭＳ２０は、ＣＰＵ３０、ＲＯＭやＲＡＭなどのメモリ３２、アナログ／デジタル変換機（以下「ＡＤＣ」という）３４を備える。
【００１７】
メモリ３２には、二次電池システム１０の動作を制御するための各種のプログラムが記憶されており、ＣＰＵ３０は、メモリ３２から読み出したプログラムに従って、判定部４２、算出部４４等として機能し、電流計２２や電圧計２４等の各部を制御する。メモリ３２には、また、後述するように、基準電流値ＩＫと基準値Ｋとが関連付けられたマップＭが記憶されている。
【００１８】
ＡＤＣ３４は、電流計２２及び電圧計２４に接続されており、電流計２２及び電圧計２４から送信されるアナログデータである電流値Ｉ及び電圧値Ｖを、デジタルデータに変換し、メモリ３２に記憶する。後述するように、算出部４４として機能するＣＰＵ３０は、メモリ３２に記憶された電圧値Ｖ等を用いて、判定値Ｈを算出する。
【００１９】
２．状態判定処理
図２ないし図４を用いて、二次電池システム１０における二次電池５０の劣化等の状態判定処理を説明する。図２は、ＣＰＵ３０で実行される状態判定処理のフローチャートを示す。
【００２０】
ＣＰＵ３０は、ユーザによって二次電池システム１０が負荷１４に接続され、負荷１４への電力の供給を開始すると、メモリ３２に記憶されたプログラムに従って後述する一定の計測周期Ｆ毎に状態判定処理を実行する。ＣＰＵ３０は、状態判定処理を開始すると、二次電池５０の電圧値Ｖ及び放電電流の電流値Ｉを測定する（Ｓ２）。
【００２１】
ＣＰＵ３０は測定を開始すると、電圧計２４に二次電池５０の電圧値Ｖを測定する指令を出力する。ＣＰＵ３０には予め測定間隔ΔＸが記憶されている。電圧計２４は、ＣＰＵ３０から指令を受け取ると、測定間隔ΔＸ毎に接続する二次電池５０を切り換え、二次電池５０の電圧値Ｖを測定する。電圧計２４は、電池群２６に含まれる二次電池５０を、二次電池５０Ａ、５０Ｂ、・・・５０Ｍ、５０Ｎの順に切り換えて測定する。測定された電圧値ＶＡ、ＶＢ、・・・、ＶＭ、ＶＮは、ＡＤＣ３４を介してメモリ３２に記憶される。
【００２２】
二次電池５０Ａから５０Ｎまでの電池電圧を順次測定することを周期的に繰り返すことで二次電池５０Ａから５０Ｎの電池電圧を継続的に測定する。継続的な電池電圧の測定にて、いずれかの二次電池５０の電池電圧が放電終止電圧に達すると二次電池システム１０の放電が停止する。
【００２３】
また、ＣＰＵ３０は、電流計２２に二次電池５０を流れる放電電流の電流値Ｉを測定する指令を出力する。電圧計２４は、ＣＰＵ３０から指令を受け取ると、電圧計２４において二次電池５０の電圧値Ｖが測定されている測定期間Ｔに亘って電流値を測定する。測定された電流値Ｉは、電圧値Ｖと同様に、ＡＤＣ３４を介してメモリ３２に記憶される。
【００２４】
図３に、Ｓ４で測定された二次電池５０の電圧値Ｖを示す。図３において、左縦軸は各電圧値Ｖの値を示し、横軸は電圧値Ｖが測定された時間ｔＡ、ｔＢ、・・・ｔＭ、ｔＮを示す。上述したように、各時間ｔＡ、ｔＢ、・・・ｔＭ、ｔＮは、その間隔が測定間隔ΔＸに設定されており、これらの測定間隔ΔＸを併せた（Ｎ−１）×ΔＸが測定期間Ｔとなる。図３では、併せてＳ４で測定された電流値Ｉを示す（右縦軸参照）。
【００２５】
本実施形態では、二次電池５０の測定期間Ｔにおいて電流値Ｉがほぼ一定に保たれている。その一方、放電電流が流れることで、二次電池５０の電圧値Ｖが減少する。図３に示すように、二次電池５０Ａ、５０Ｂ、・・・５０Ｍ、５０Ｎの電圧値ＶＡ、ＶＢ、・・・、ＶＭ、ＶＮはこの順に減少しており、この結果、時間ｔＡから時間ｔＮまでの放電電流によって、二次電池５０Ａの電圧値ＶＡと二次電池５０Ｎの電圧値ＶＮの間に差分電圧値ΔＶ（ΔＶＡＮ）が生じている。
【００２６】
一方、二次電池システム１０が接続される負荷１４によっては、図４に示すように、二次電池５０の測定期間Ｔの開始に遅れて放電電流が流れ始めることがある。例えば、二次電池５０Ｃの電圧値ＶＣの測定時間ｔＣから電流が流れることがある。この場合、放電電流が流れていない時間ｔＡから時間ｔＣまでにおいて、各二次電池５０の電圧値Ｖは変化せず、時間ｔＣから時間ｔＮまでの期間に応じた差分電圧値ΔＶ（ΔＶＣＮ）が生じている。
【００２７】
次に、ＣＰＵ３０は前回の周期で測定された電圧値Ｖ０のバラツキを評価する（Ｓ４）。ＣＰＵ２０は、所定時間毎に状態判定処理を繰り返しており、各処理において測定された電圧値Ｖ及び電流値Ｉをメモリ３２に記憶している。ＣＰＵ３０は判定部４２として機能し、メモリ３２から前回の周期で測定された電圧値Ｖ０及び電流値Ｉ０を読み出し、評価を行う。例えば、前回の周期で測定された電圧値Ｖ０が規定値よりばらついている場合や、二次電池５０に放電電流が流れたにも関わらず、二次電池５０の電圧値Ｖが前回の周期の時間ｔにおいて測定された電圧値Ｖ０よりも増加している場合（Ｓ４：ＮＯ）、電圧値Ｖのバラツキが大きいと判断し、処理を終了する。
【００２８】
ＣＰＵ２０は、電圧値Ｖ０のバラツキが小さいと判断される場合（Ｓ４：ＹＥＳ）、今回測定された電流値Ｉを評価する（Ｓ６）。この際、ＣＰＵ２０は算出部４４として機能し、今回測定された電流値Ｉと前回測定された電流値Ｉ０との差分電流値ΔＩを算出する。この際、電流値Ｉ、Ｉ０が対応する測定期間Ｔにおいて変動する場合には、それぞれの電流値Ｉ、Ｉ０の平均値を算出し、当該平均値同士の差分電流値ΔＩを算出する。メモリ３２には、予め限界差分電流値ΔＩＧが記憶されている。ＣＰＵ３０は判定部４２として機能し、算出された差分電流値ΔＩを限界差分電流値ΔＩＧと比較する。
【００２９】
算出された差分電流値ΔＩが、限界差分電流値ΔＩＧよりも大きい場合（Ｓ６：ＮＯ）、今回測定された電流値Ｉが、前回測定された電流値Ｉ０に比べて大きく変化していることを意味している。この場合、ＣＰＵ３０は、今回測定された電圧値Ｖの差分電圧値ΔＶと今前回測定された電圧値Ｖ０の差分電圧値ΔＶ０とが異なる場合でも、その違いが二次電池５０の劣化によるものであるか、二次電池５０に流れる電流値Ｉの違いによるものであるかを区別することができないと判断し、処理を終了する。
【００３０】
一方、ＣＰＵ３０は、差分電流値ΔＩが限界差分電流値ΔＩＧ以下である場合（Ｓ６：ＹＥＳ）、ＣＰＵ３０は算出部４４として機能し、測定された電圧値Ｖの中から最大電圧値Ｖｍａｘと最小電圧値Ｖｍｉｎを選出し、最大電圧値Ｖｍａｘと最小電圧値Ｖｍｉｎの差分電圧値ΔＶを算出する（Ｓ８）。図３に示すように、二次電池５０の測定期間Ｔに亘って放電電流が流れている場合、最大電圧値ＶｍａｘはＶＡとなり、最小電圧値ＶｍｉｎはＶＮとなり、差分電圧値ΔＶはΔＶＡＮとなる。また、図４に示すように、二次電池５０の測定期間Ｔの測定時間ｔＣから電流が流れている場合、最大電圧値ＶｍａｘはＶＣとなり、最小電圧値ＶｍｉｎはＶＮとなり、差分電圧値ΔＶはΔＶＣＮとなる。
【００３１】
次に、ＣＰＵ３０は、算出された電圧値Ｖの差分電圧値ΔＶを評価する（Ｓ１０）。メモリ３２には、予め限界差分電圧値ΔＶＧが記憶されている。ＣＰＵ３０は判定部４２として機能し、算出された差分電圧値ΔＶを限界差分電圧値ΔＶＧと比較する。ＣＰＵ３０は、算出された差分電圧値ΔＶが、限界差分電圧値ΔＶＧよりも小さい場合（Ｓ１０：ＮＯ）、処理を終了する。一方、算出された差分電圧値ΔＶが、限界差分電圧値ΔＶＧ以上である場合（Ｓ１０：ＹＥＳ）、処理を続ける。
【００３２】
差分電圧値ΔＶが限界差分電圧値ΔＶＧ以上である場合、差分電圧値ΔＶの算出に用いた期間、すなわち、二次電池５０の測定期間Ｔにおいて放電電流が流れていた期間が、限界差分電圧値ΔＶＧから想定される基準期間よりも長い。そのため、後述するように、差分電圧値ΔＶから判定値Ｈを算出して判定を行う際に、比較的長い期間から算出された差分電圧値ΔＶを用いて判定を行うことができる。これによって、隣接する時間ｔにおける差分電圧値ΔＶ、例えば、時間ｔＡにおける二次電池５０の電圧値ＶＡと時間ｔＢにおける二次電池５０の電圧値ＶＢの差分電圧値ΔＶＡＢに基づいて判定値Ｈを算出する場合に比べて、二次電池５０の測定期間Ｔにおける平均的な差分電圧値ΔＶを用いて判定値Ｈを算出することができ、判定値Ｈを用いて精度良く二次電池５０を判定することができる。
【００３３】
次に、ＣＰＵ３０は判定値Ｈ（＝ΔＶ／ΔＴ）を算出する（Ｓ１２）。ＣＰＵ３０は算出部４４として機能し、Ｓ８で算出された差分電圧値ΔＶを、Ｓ８で差分電圧値ΔＶの算出に用いた期間ΔＴで除して判定値Ｈを算出する。図３に示すように、差分電圧値ΔＶがΔＶＡＮである場合、当該ΔＶＡＮを時間ｔＡから時間ｔＮの期間ΔＴ（ΔＴＡＮ）で除して判定値Ｈ＝ΔＶＡＮ／ΔＴＡＮを算出する。また、図４に示すように、差分電圧値ΔＶがΔＶＣＮである場合、当該ΔＶＣＮを時間ｔＣから時間ｔＮの期間ΔＴ（ΔＴＣＮ）で除して判定値Ｈ＝ΔＶＣＮ／ΔＴＣＮを算出する。
【００３４】
次に、ＣＰＵ３０は、選出された最大電圧値Ｖｍａｘと最小電圧値Ｖｍｉｎ、及び算出された判定値Ｈをメモリ３２に記憶する（Ｓ１４）。メモリ３２には、基準電流値ＩＫと基準値Ｋとが関連付けられたマップＭが記憶されており、ＣＰＵ３０は、マップＭに記憶された複数の基準電流値ＩＫのうち、今回測定された電流値Ｉに最も近い基準電流値ＩＫを選出し、当該選出した基準電流値ＩＫに関連付けられて記憶されている基準値Ｋを選出する（Ｓ１６）。本実施形態では、基準値Ｋが、今回測定された電流値Ｉに基づいて選出されるので、後述するように、判定値Ｈを用いて二次電池５０の状態を判定する際に、電流値Ｉの影響を抑制して、二次電池５０の正確な状況を判定することができる。本実施形態では、基準値Ｋとして、基準差分電圧値ΔＶ’を時間ｔＡから時間ｔＮの期間ΔＴＡＮで除した基準値Ｋ＝ΔＶ’／ΔＴＡＮが選出される。
【００３５】
次に、ＣＰＵ３０は、判定値Ｈを判定する（Ｓ１８）。ＣＰＵ２０は算出部４４として機能し、Ｓ１２で算出された判定値ＨとＳ１６で選出された基準値Ｋとの差分値ΔＨ＝（ΔＶ−ΔＶ’）／ΔＴＡＮを算出する。メモリ３２には、予め限界判定値ΔＨＧが記憶されている。ＣＰＵ３０は判定部４２として機能し、算出された差分値ΔＨを限界判定値ΔＨＧと比較する。
【００３６】
算出された差分値ΔＨが、限界判定値ΔＨＧよりも大きい場合（Ｓ１８：ＮＯ）、図５に矢印５２に示すように、今回算出された差分電圧値ΔＶが、今回測定された電流値Ｉから想定される基準差分電圧値ΔＶ’に比べて限界判定値ΔＨＧから想定される許容範囲を超えて変化していることを意味している。すなわち、二次電池５０の内部抵抗Ｒが、二次電池５０が正常動作をすると想定される内部抵抗Ｒの許容範囲を超えて大きくなったことを意味している。この場合、ＣＰＵ３０は、二次電池５０が劣化したと判定し（Ｓ２０）、処理を終了する。
【００３７】
一方、差分値ΔＨが限界判定値ΔＨＧ以下の場合（Ｓ１８：ＹＥＳ）、二次電池５０の内部抵抗Ｒが、二次電池５０が正常動作をすると想定される内部抵抗Ｒの許容範囲内であることを意味する。この場合、ＣＰＵ３０は、二次電池５０が劣化していないと判定し（Ｓ２２）、処理を終了する。
【００３８】
３．本実施形態の効果
（１）本実施形態の二次電池システム１０では、複数の二次電池の電池電圧を順次測定する機能を利用し、電池電圧を順次測定した際の２つの二次電池の電池電圧の差を、それら二次電池の電池電圧を測定したタイミングの時間差で除した値を判定値として算出する。この判定値から二次電池の内部抵抗を評価することができ、これによって、二次電池の状態を容易に判定することができる。これにより、二次電池５０を含む電池群２６の状態を判定することができ、最終的に、二次電池システム１０の異常等を判定することができる。
【００３９】
（２）本実施形態の二次電池システム１０では、測定された電流値Ｉに基づいて選出される基準値Ｋに基づいて判定値Ｈを判定するので、基準値Ｋに対応して予め想定されている二次電池５０の状態、すなわち、二次電池５０の内部抵抗Ｒ許容範囲、に基づいて二次電池５０の状態を判定することができる。
【００４０】
＜他の実施形態＞
本発明は上記記述及び図面によって説明した実施形態に限定されるものではなく、例えば次のような種々の態様も本発明の技術的範囲に含まれる。
（１）上記実施形態では、メモリ３２に、基準電流値ＩＫと基準値Ｋとが関連付けられたマップＭが記憶されている例を用いて説明を行ったが、当該マップＭにおいて、基準値Ｋと関連付けて記憶されているものは、基準電流値ＩＫに限られない。例えは、二次電池システム１０において、ＣＰＵ３０が二次電池５０の充電または放電電流を継続的に測定しており、当該測定された充電または放電電流の積算値である充電（放電）深度を算出している場合がある。この場合には、マップＭに充電（放電）深度と基準値Ｋとが関連付けられていてもよい。
【００４１】
通常の二次電池では、同じ電流量を流した場合でも二次電池の充電（放電）深度によって差分電圧値ΔＶに若干の相違が生じる。例えば、放電曲線が平坦な充電（放電）深度では、差分電圧値ΔＶは小さくなり、放電曲線の変化の大きい充電（放電）深度では、差分電圧値ΔＶは大きくなる。マップＭにおいて、基準電流値ＩＫと充電（放電）深度との両方が基準値Ｋに関連付けられていることで、より精度高く二次電池５０を含む電池群２６の状態を判定することができる。
【００４２】
（２）上記実施形態では、限界差分電圧値ΔＶＧなどの限界値及び基準値Ｋを用いて二次電池５０の状態を判定している。これらの値は、二次電池システム１０の初期状態において測定等された結果から決定されても良ければ、同種の二次電池システム１０を用いて測定あるいはシュミレーションされた結果から、予め決定されていても良い。
【００４３】
（３）上記実施形態では、測定期間Ｔにおいて電流値Ｉがほぼ一定に保たれている例を用いて説明を行ったが、測定期間Ｔにおける電流値Ｉは必ずしも一定である必要はない。測定期間Ｔに亘って、特定の基準電流値ＩＫから決定される範囲にほぼ含まれていれば、基準値Ｋを選出することができ、問題がない。
【００４４】
（４）上記実施形態では、直列に接続された電池群２６の両端の二次電池５０Ａと二次電池５０Ｎとの間の差分電圧値ΔＶおよび測定時間Ｔに基づいて判定値Ｈを算出したが、差分電圧値ΔＶおよび測定時間Ｔの計測対象となる二次電池５０は電池群２６の両端の二次電池５０に限らず、電池群２６の両端以外の二次電池５０を計測対象の二次電池としてもよい。
【００４５】
（５）上記実施形態では、前回測定した電圧値Ｖ０のバラツキを今回の測定で評価を行っているが、前回測定した電圧値Ｖ０のバラツキを前回の測定のうちに評価しておいても良い。
【符号の説明】
【００４６】
１０：二次電池システム、２２：電流計、２４：電圧計、２６：電池群、３２：メモリ、４２：判定部、４４：算出部、５０：二次電池、Ｈ：判定値、ＩＫ：基準電流値、Ｋ：基準値、Ｍ：マップ、Ｔ：測定期間、ΔＴ：期間、ΔＶ：差分電圧値、ΔＸ：測定間隔
【図１】
2012189380.tif 000003
【図２】
2012189380.tif 000004
【図３】
2012189380.tif 000005
【図４】
2012189380.tif 000006
【図５】
2012189380.tif 000007